【手続補正書】
【提出日】平成16年9月1日(2004.9.1)
【手続補正１】
【補正対象書類名】明細書
【補正対象項目名】特許請求の範囲
【補正方法】変更
【補正の内容】
【特許請求の範囲】
【請求項１】
ＩＰ通信網は２以上の端末と接続されており、前記ＩＰ通信網は前記端末とＩＰパケットを用いて通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う方法において、前記サーバは、前記宛先端末の電話番号を基に前記宛先端末と通信を行うためのＩＰアドレスを特定し、前記ＩＰ通信網は接続フェーズ及び通信フェーズを含んでいることを特徴とする端末間の通信方法。
【請求項２】
アドレス完了メッセージを含む共通線信号方式を基に前記接続フェーズを行うようになっている請求項１に記載の端末間の通信方法。
【請求項３】
電話通信の接続フェーズを行うようになっている請求項１に記載の端末間の通信方法。
【請求項４】
前記接続フェーズが宛先端末からの応答手続きの後の応答確認メッセージを含んでいる請求項１に記載の端末間の通信方法。
【請求項５】
前記サーバが、前記電話番号の代わりに宛先端末のドメインネームを基に前記宛先端末と通信を行うためのＩＰアドレスを特定するようになっている請求項１乃至４のずれかに記載の端末間の通信方法。
【請求項６】
前記サーバが、前記電話番号の代わりに宛先端末のホスト名を基に前記宛先端末と通信を行うためのＩＰアドレスを特定するようになっている請求項１乃至４のいずれかに記載の端末間の通信方法。
【請求項７】
前記サーバがドメインネームサーバである請求項１に記載の端末間の通信方法。
【請求項８】
ＩＰ通信網は、二つ以上の端末と接続しており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で、前記ＩＰ通信網を経由し、インターネットプロトコルを用いて通信を行う方法において、前記サーバは前記宛先端末の電話番号を基に前記宛先端末と通信を行うためのＩＰアドレスを特定し、前記ＩＰ通信網は電話通信接続制御を行うことを特徴とする端末間の通信方法。
【請求項９】
前記サーバが、電話番号の代わりに宛先端末のドメインネームを基に前記宛先端末と通信を行うためのＩＰアドレスを特定するようになっている請求項８に記載の端末間の通信方法。
【請求項１０】
前記サーバが、電話番号の代わりに宛先端末のホスト名を基に前記宛先端末と通信を行うためのＩＰアドレスを特定するようになっている請求項８に記載の端末間の通信方法。
【請求項１１】
アドレス完了メッセージを含む共通線信号方式を基に電話通信接続制御を行うようになっている請求項８乃至１０のいずれかに記載の端末間の通信方法。
【請求項１２】
前記電話通信接続制御が応答確認メッセージを含んでいる請求項８乃至１０に記載の端末間の通信方法。
【請求項１３】
前記サーバがドメインネームサーバである請求項８に記載の端末間の通信方法。
【請求項１４】
ＩＰ通信網は２以上の端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う方法において、前記サーバは、前記宛先端末の電話番号を基に前記宛先端末と通信を行うためのＩＰアドレスを特定し、前記ＩＰ通信網は呼制御を行うことを特徴とする端末間の通信方法。
【請求項１５】
前記サーバが、前記電話番号の代わりに前記宛先端末のドメインネームを基に前記宛先端末と通信を行うためのＩＰアドレスを特定するようになっている請求項１４に記載の端末間の通信方法。
【請求項１６】
前記サーバが、前記電話番号の代わりに前記宛先端末のホスト名を基に前記宛先端末と通信を行うためのＩＰアドレスを特定するようになっている請求項１４に記載の端末間の通信方法。
【請求項１７】
前記端末間でメディア通信を行うようになっている請求項１４乃至１６に記載の端末間の通信方法。
【請求項１８】
アドレス完了メッセージを含む共通線信号方式を基に前記呼制御を行うようになっている請求項１４乃至１７に記載の端末間の通信方法。
【請求項１９】
前記呼制御が応答確認メッセージを含んでいる請求項１４乃至１７に記載の端末間の通信方法。
【請求項２０】
前記サーバがドメインネームサーバである請求項１４に記載の端末間の通信方法。
【請求項２１】
ＩＰ通信網は２以上の端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う方法において、前記サーバは前記宛先端末の電話番号を基に前記宛先端末と通信を行うためのＩＰアドレスを特定し、前記ＩＰ通信網は、呼設定を行う手順と、前記端末間で通信を行う手順とを含んでいることを特徴とする端末間の通信方法。
【請求項２２】
前記サーバが、前記電話番号の代わりに前記宛先端末のドメインネームを基に前記宛先端末と通信を行うためのＩＰアドレスを特定するようになっている請求項２１に記載の端末間の通信方法。
【請求項２３】
前記サーバが、前記電話番号の代わりに前記宛先端末のホスト名を基に前記宛先端末と通信を行うためのＩＰアドレスを特定するようになっている請求項２１に記載の端末間の通信方法。
【請求項２４】
前記電話通信の呼設定を行うようになっている請求項２１乃至２３に記載の端末間の通信方法。
【請求項２５】
アドレス完了メッセージを含む共通線信号方式を基に前記呼設定を行うようになっている請求項２１乃至２３に記載の端末間の通信方法。
【請求項２６】
前記呼設定が応答確認メッセージを含んでいる請求項２１乃至２３に記載の端末間の通信方法。
【請求項２７】
前記サーバがドメインネームサーバである請求項２１に記載の端末間の通信方法。
【請求項２８】
ＩＰ通信網は２以上の端末と接続されており、前記ＩＰ通信網はＩＰパケットを用いて前記端末と通信を行い、前記端末間で前記ＩＰ通信網を経由してインターネットプロトコルを用いて通信を行う通信方法において、前記ＩＰ通信網が、アドレス完了メッセージを含む共通線信号方式に基づく通信手順を用いて、前記端末間の通信接続制御を行うことを特徴とする端末間の通信方法。
【請求項２９】
前記宛先端末の電話番号を基に前記宛先端末と通信を行うためのＩＰアドレスを特定する手順を含んでいる請求項２８に記載の端末間の通信方法。
【請求項３０】
前記宛先端末の電話番号を基に前記宛先端末と通信を行うためのＩＰアドレスを特定する手順を含み、前記共通線信号方式に基づく通信手順の代わりに、応答確認メッセージを含む通信手順を用いて前記端末間の通信接続制御を行う請求項２８に記載の端末間の通信方法。
【請求項３１】
ＩＰ通信網は２以上の端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う方法において、前記サーバは、前記宛先端末の電話番号を基に前記宛先端末と通信を行うためのＩＰアドレスを特定し、前記ＩＰ通信網は、アドレス完了メッセージを含む共通線信号方式に基づく通信手順を用いて前記端末間の通信接続制御を行うことを特徴とする端末間の通信方法。
【請求項３２】
前記共通線信号方式に基づく通信手順の代わりに応答確認メッセージを含む通信手順を用いて前記端末間の通信接続制御を行う請求項３１に記載の端末間の通信方法。
【請求項３３】
前記電話番号に代えてドメインネームを用いるようになっている請求項３１又は３２に記載の端末間の通信方法。
【請求項３４】
前記電話番号に代えてホスト名を用いるようになっている請求項３１又は３２に記載の端末間の通信方法。
【請求項３５】
前記サーバがドメインネームサーバである請求項３１に記載の端末間の通信方法。
【請求項３６】
ＩＰ通信網は２以上の装置と接続され、前記装置はそれぞれ２以上の端末と接続され、前記装置はＩＰパケットを用いて前記端末と通信を行い、前記装置の１つである発信側装置は、前記ＩＰ通信網を経由してＩＰパケットを用いて前記装置の１つである着信側装置と通信を行い、インターネットプロトコルを用いて、前記装置及び前記ＩＰ通信網を経由して前記端末間で通信を行う方法において、発信側端末は、UNIの通信接続制御を用いて前記発信側装置と通信を行い、前記発信側装置は、前記ＩＰ通信網を経由してNNIの通信接続制御を用いて前記着信側装置と通信を行い、前記着信側装置は、UNIの通信接続制御を用いて着信側端末と通信を行うことを特徴とする端末間の通信方法。
【請求項３７】
前記ＵＮＩが応答確認メッセージを含む通信接続制御である請求項３６に記載の端末間の通信方法。
【請求項３８】
前記ＵＮＩがH323仕様に基づく通信接続制御である請求項３６に記載の端末間の通信方法。
【請求項３９】
前記ＮＮＩが共通線信号方式に基づく通信接続制御である請求項３６に記載の端末間の通信方法。
【請求項４０】
前記ＮＮＩが応答確認メッセージを含む通信接続制御である請求項３６に記載の端末間の通信方法。
【請求項４１】
前記ＵＮＩ及びＮＮＩが応答確認メッセージを含む通信接続制御である請求項３６に記載の端末間の通信方法。
【請求項４２】
ＩＰ通信網は２以上の装置と接続され、前記装置はそれぞれ２以上の端末と接続され、前記装置はＩＰパケットを用いて前記端末と通信を行い、前記装置の１つである発信側装置は、前記ＩＰ通信網を経由して前記ＩＰパケットを用いて着信側装置と通信を行い、インターネットプロトコルを用いて、前記装置及び前記ＩＰ通信網を経由して前記端末間で通信を行う方法において、発信側端末は、音声通信及び通信接続制御を、同一の通信回線を使用し前記ＩＰパケットを用いて前記発信側装置と通信を行い、前記発信側装置は、、前記音声通信を行う通信回線と通信接続制御を行う通信回線を分離して使用し、前記ＩＰパケットを用いて前記着信側装置と通信を行い、前記着信側装置は、前記音声通信及び前記通信接続制御を同一の通信回線を使用し、前記ＩＰパケットを用いて着信側端末と通信を行うことを特徴とする端末間の通信方法。
【請求項４３】
前記発信側装置と前記着信側装置との間の前記通信接続制御が共通線信号方式である請求項４２に記載の端末間の通信方法。
【請求項４４】
前記通信接続制御が電話通信接続制御である請求項４２に記載の端末間の通信方法。
【請求項４５】
応答確認メッセージを含む通信接続制御を行うようになっている請求項４２に記載の端末間の通信方法。
【請求項４６】
ＩＰ通信網は２以上の網ノード装置と接続され、前記網ノード装置はそれぞれ２以上の論理端子を備え、前記網ノード装置は前記論理端子を経由して端末と接続され、前記端末は外部パケットを用いて前記論理端子を経由して前記網ノード装置と通信し、前記網ノード装置は前記ＩＰ通信網を経由して内部パケットを用いて宛先網ノード装置と通信し、前記網ノード装置は前記外部パケットと前記外部パケットが入力した論理端子とを基に内部パケットを形成すると共に、前記内部パケットを基に外部パケットを復元する機能を備え、前記網ノード装置及び前記ＩＰ通信網を経由してインターネットプロトコルを用いて前記端末間で通信を行う方法において、前記ＩＰ通信網は、接続フェーズ及び通信フェーズを含むことを特徴とする端末間の通信方法。
【請求項４７】
アドレス完了メッセージを含む共通線信号方式を基に前記接続フェーズを行うようになっている請求項４６に記載の端末間の通信方法。
【請求項４８】
前記接続フェーズが応答確認メッセージを含んでいる請求項４６に記載の端末間の通信方法。
【請求項４９】
ＩＰ通信網は２以上の網ノード装置と接続され、前記網ノード装置はそれぞれ２以上の論理端子を備え、前記網ノード装置は前記論理端子を経由して端末と接続され、前記端末は外部パケットを用いて前記論理端子を経由して前記網ノード装置と通信し、前記網ノード装置は前記ＩＰ通信網を経由して内部パケットを用いて宛先網ノード装置と通信し、前記網ノード装置は前記外部パケットと前記外部パケットが入力した論理端子とを基に内部パケットを形成すると共に、前記内部パケットを基に外部パケットを復元する機能を備え、前記網ノード装置及び前記ＩＰ通信網を経由してインターネットプロトコルを用いて前記端末間で通信を行う方法において、前記ＩＰ通信網は、呼設定を行う手順と、前記端末間で通信を行う手順とを含むことを特徴とする端末間の通信方法。
【請求項５０】
アドレス完了メッセージを含む共通線信号方式を基に前記呼設定を行うようになっている請求項４９に記載の端末間の通信方法。
【請求項５１】
前記呼設定が応答確認メッセージを含んでいる請求項４９に記載の端末間の通信方法。
【請求項５２】
ＩＰ通信網は２以上の網ノード装置と接続され、前記網ノード装置はそれぞれ２以上の論理端子を備え、前記網ノード装置は前記論理端子を経由して端末と接続され、前記端末は外部パケットを用いて前記論理端子を経由して前記網ノード装置と通信し、前記網ノード装置は前記ＩＰ通信網を経由して内部パケットを用いて宛先網ノード装置と通信し、前記網ノード装置は前記外部パケットと前記外部パケットが入力した論理端子とを基に内部パケットを形成すると共に、前記内部パケットを基に外部パケットを復元する機能を備え、前記網ノード装置及び前記ＩＰ通信網を経由してインターネットプロトコルを用いて前記端末間で通信を行う方法において、前記ＩＰ通信網は前記端末間の通信接続制御として呼制御を行うことを特徴とする端末間の通信方法。
【請求項５３】
アドレス完了メッセージを含む共通線信号方式を基に前記呼制御を行うようになっている請求項５２に記載の端末間の通信方法。
【請求項５４】
前記応答確認メッセージを含んでいる請求項５２に記載の端末間の通信方法。
【請求項５５】
前記呼制御が電話通信接続制御である請求項５２に記載の端末間の通信方法。
【請求項５６】
ＩＰ通信網は３以上の論理端子を備え、前記論理端子はそれぞれ端末と接続され、前記端末は外部パケットを用いて前記論理端子と通信を行い、発信側記論理端子は、前記ＩＰ通信網を経由して内部パケットを用いて着信側論理端子と通信を行い、前記論理端子及び前記ＩＰ通信網を経由してインターネットプロトコルを用いて前記端末間で通信を行う方法において、前記ＩＰ通信網は、前記発信側論理端子と外部パケットに付与された外部アドレスとを基に内部パケットの内部アドレスを決定する工程と、前記決定された内部アドレスを基に、前記内部パケットを送信すべき前記着信側論理端子を決定する工程とを備える手順と、前記端末間で電話通信接続制御を行う手順とを含んでいることを特徴とする端末間の通信方法。
【請求項５７】
アドレス完了メッセージを含む共通線信号方式を基に前記電話通信接続制御を行うようになっている請求項５６に記載の端末間の通信方法。
【請求項５８】
前記電話通信接続制御が応答確認メッセージを含んでいる請求項５６に記載の端末間の通信方法。
【請求項５９】
ＩＰ通信網は３以上の論理端子を備え、前記論理端子はそれぞれ端末と接続され、前記端末は外部パケットを用いて前記論理端子と通信を行い、発信側論理端子は、前記ＩＰ通信網を経由して内部パケットを用いて着信側論理端子と通信を行い、前記論理端子及び前記ＩＰ通信網を経由してインターネットプロトコルを用いて前記端末間で通信を行う方法において、前記ＩＰ通信網は、前記発信側論理端子と外部パケットに付与された外部アドレスとを基に内部パケットの内部アドレスを決定する工程と、前記決定された内部アドレスを基に、前記内部パケットを送信すべき前記着信側論理端子を決定する工程とを備え、前記端末間の通信接続からなる接続フェーズと、前記端末間で通信を行う通信フェーズとを含んでいることを特徴とする端末間の通信方法。
【請求項６０】
前記接続フェーズがアドレス完了メッセージを含む共通線信号方式を基に行われる請求項５９に記載の端末間の通信方法。
【請求項６１】
前記接続フェーズが応答確認メッセージを含んでいる請求項５９に記載の端末間の通信方法。
【請求項６２】
ＩＰ通信網は３以上の論理端子を備え、前記論理端子はそれぞれ端末と接続され、前記端末は外部パケットを用いて前記論理端子と通信を行い、発信側記論理端子は前記ＩＰ通信網を経由して内部パケットを用いて着信側論理端子と通信を行い、前記論理端子及び前記ＩＰ通信網を経由してインターネットプロトコルを用いて前記端末間で通信を行う方法において、前記ＩＰ通信網は、前記発信側論理端子と外部パケットに付与された外部アドレスとを基に内部パケットの内部アドレスを決定する工程と、前記決定された内部アドレスを基に、前記内部パケットを送信すべき前記着信側論理端子を決定する工程とを備える手順と、呼設定を行う手順と、前記端末間で通信を行う手順とを含んでいることを特徴とする端末間の通信方法。
【請求項６３】
アドレス完了メッセージを含む共通線信号方式を基に前記呼設定を行う請求項６２に記載の端末間の通信方法。
【請求項６４】
前記呼設定が応答確認メッセージを含んでいる請求項６２に記載の端末間の通信方法。
【請求項６５】
ＩＰ通信網は２以上の端末及び無線通信路を含む通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記無線通信路を含む通信回線及び前記ＩＰ通信網を経由してインターネットプロトコルを用いて前記端末間で通信を行う方法において、前記サーバは、前記宛先端末の電話番号を基に前記宛先端末と通信を行うためのＩＰアドレスを特定し、前記ＩＰ通信網は呼制御を行うことを特徴とする端末間の通信方法。
【請求項６６】
アドレス完了メッセージを含む共通線信号方式を基に前記呼制御を行うようになっている請求項６５に記載の端末間の通信方法。
【請求項６７】
前記呼制御が応答確認メッセージを含んでいる請求項６５に記載の端末間の通信方法。
【請求項６８】
ＩＰ通信網は２以上の端末及び無線通信路を含む通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記無線通信路を含む通信回線及び前記ＩＰ通信網を経由してインターネットプロトコルを用いて前記端末間で通信を行う方法において、前記サーバは宛先端末の電話番号を基に前記宛先端末と通信を行うためのＩＰアドレスを特定し、前記ＩＰ通信網は、接続フェーズと、前記端末間で通信を行う通信フェーズとを含むことを特徴とする端末間の通信方法。
【請求項６９】
アドレス完了メッセージを含む共通線信号方式を基に前記接続フェーズを行う請求項６８に記載の端末間の通信方法。
【請求項７０】
前記接続フェーズが応答確認メッセージを含んでいる請求項６８に記載の端末間の通信方法。
【請求項７１】
ＩＰ通信網は２以上の端末及び無線通信路を含む通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で、前記無線通信路を含む通信回線及び前記ＩＰ通信網を経由してインターネットプロトコルを用いて通信を行う方法において、前記サーバは、前記宛先端末の電話番号を基に前記宛先端末と通信を行うためのＩＰアドレスを特定し、前記ＩＰ通信網は前記端末間の電話通信接続制御を行うことを特徴とする端末間の通信方法。
【請求項７２】
アドレス完了メッセージを含む共通線信号方式を基に前記電話通信接続制御を行うようになっている請求項７１に記載の端末間の通信方法。
【請求項７３】
応答確認メッセージを含む電話通信接続制御を行うようになっている請求項７１に記載の端末間の通信方法。
【請求項７４】
ＩＰ通信網は２以上の端末及び無線通信路を含む通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で、前記無線通信路を含む通信回線及び前記ＩＰ通信網を経由してインターネットプロトコルを用いて通信を行う方法において、前記サーバは、前記宛先端末の電話番号を基に前記宛先端末のＩＰアドレスを特定し、前記ＩＰ通信網は、呼設定を行う手順と、前記端末間で通信を行う手順とを含んでいることを特徴とする端末間の通信方法。
【請求項７５】
アドレス完了メッセージを含む共通線信号方式を基に前記呼設定を行うようになっている請求項７４に記載の端末間の通信方法。
【請求項７６】
前記呼設定が応答確認メッセージを含んでいる請求項７４に記載の端末間の通信方法。
【請求項７７】
前記端末間でマルチメディア通信を行うようになっている請求項７４に記載の端末間の通信方法。
【請求項７８】
ＩＰ通信網は通信回線を経由して端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記ＩＰ通信網はゲートウエイと接続され、前記ゲートウエイは公衆電話交換網と接続され、前記公衆電話交換網は電話機と接続され、前記端末と前記電話機との間で前記通信回線、前記ＩＰ通信網、前記ゲートウエイト及び前記公衆電話交換網を経由して電話通信を行う方法において、前記サーバは、前記電話機の電話番号を基に前記電話機と通信を行うためのＩＰアドレスを特定し、前記ＩＰ通信網は前記端末と前記ゲートウエイとの間の呼制御を行うことを特徴とする端末間の通信方法。
【請求項７９】
アドレス完了メセージを含む共通線信号方式を基に前記呼制御を行うようになっている請求項７８に記載の端末間の通信方法。
【請求項８０】
前記呼制御が応答確認メッセージを含んでいる請求項７８に記載の端末間の通信方法。
【請求項８１】
前記電話番号の代わりにドメインネームを用いる請求項７８に記載の端末間の通信方法。
【請求項８２】
前記通信の課金を行うようになっている請求項７８に記載の端末間の通信方法。
【請求項８３】
ＩＰ通信網は通信回線を経由して端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記ＩＰ通信網はゲートウエイと接続され、前記ゲートウエイは公衆電話交換網と接続され、前記公衆電話交換網は電話機と接続され、前記端末と前記電話機との間で前記通信回線、前記ＩＰ通信網、前記ゲートウエイト及び前記公衆電話交換網を経由して電話通信を行う方法において、前記サーバが、前記電話機の電話番号を基に前記電話機と通信を行うためのＩＰアドレスを特定し、前記ＩＰ通信網は、前記端末と前記ゲートウエイとの間の呼設定を行う手順と、前記端末が前記電話機と通信を行う手順とを含むことを特徴とする端末間の通信方法。
【請求項８４】
アドレス完了メッセージを含む共通線信号方式を基に前記呼設定を行うようになっている請求項８３に記載の端末間の通信方法。
【請求項８５】
前記呼設定が応答確認メッセージを含んでいる請求項８３に記載の端末間の通信方法。
【請求項８６】
ＩＰ通信網は２以上の装置を含み、前記装置は通信回線を経由して端末と接続されており、前記装置はＩＰパケットを用いて前記端末と通信を行い、前記ＩＰ通信網は電話番号とＩＰアドレスが1対１の情報を含み、前記端末間で前記装置及び前記ＩＰ通信網を経由してインターネットプロトコルを用いて通信を行う方法において、前記端末間で応答確認メッセージを含む電話通信を行うことを特徴とする端末間の通信方法。
【請求項８７】
ＩＰ通信網は２以上の装置を含み、前記装置は通信回線を経由して端末と接続されており、前記装置はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記装置及び前記ＩＰ通信網を経由してインターネットプロトコルを用いて通信を行う通信方法において、前記サーバが、前記電話機の電話番号を基に前記電話機と通信を行うためのＩＰアドレスを特定し、前記端末間で応答確認メッセージを含む電話通信を行うことを特徴とする端末間の通信方法。
【請求項８８】
通信回線が無線通信路を含んでいる請求項８７に記載の端末間の通信方法。
【請求項８９】
電話番号の代わりにドメインネームを用いるようになっている請求項８７に記載の端末間の通信方法。
【請求項９０】
通信の課金を行うようになっている請求項８７に記載の端末間の通信方法。
【請求項９１】
ＩＰ通信網は２以上の端末及び通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記サーバは前記宛先端末の電話番号を基に前記宛先端末と通信を行うためのＩＰアドレスを特定し、前記ＩＰ通信網は接続フェーズ及び通信フェーズを含み、前記端末が、前記ＩＰ通信網を経由してインターネットプロトコルを用いて前記宛先端末と通信を行う通信システムにおいて、前記端末が前記ＩＰ通信網に前記宛先端末の電話番号を送出して前記宛先端末と通信を行うためのＩＰアドレスを取得する手段と、前記取得したＩＰアドレスを用いて前記端末が前記宛先端末と通信を行う手段とを具備したことを特徴とする通信システム。
【請求項９２】
電話通信接続制御を基に前記接続フェーズを行うようになっている請求項９１に記載の通信システム。
【請求項９３】
アドレス完了メセージを含む共通線信号方式を基に前記接続フェーズを行うようになっている請求項９１に記載の通信システム。
【請求項９４】
前記接続フェーズが応答確認メッセージを含んでいる請求項９１に記載の通信システム。
【請求項９５】
前記サーバが前記宛先端末の電話番号の代わりにドメインネームを用いて前記宛先端末と通信を行うためのＩＰアドレスを特定する機能を備えている請求項９１乃至９４のいずれかに記載の通信システム。
【請求項９６】
ＩＰ通信網は２以上の端末及び通信回線を経由して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記サーバは前記宛先端末の電話番号を基に前記宛先端末と通信を行うためのＩＰアドレスを特定し、前記ＩＰ通信網は電話通信接続制御を行い、前記端末が、前記ＩＰ通信網を経由してインターネットプロトコルを用いて前記宛先端末と通信を行う通信システムにおいて、前記端末が前記ＩＰ通信網に前記宛先端末の電話番号を送出して前記宛先端末と通信を行うためのＩＰアドレスを取得する手段と、前記取得したＩＰアドレスを用いて前記端末が前記宛先端末と通信を行う手段とを具備したことを特徴とする通信システム。
【請求項９７】
アドレス完了メッセージを含む共通線信号方式を基に前記電話通信接続制御を行うようになっている請求項９６に記載の通信システム。
【請求項９８】
前記電話通信接続制御が応答確認メッセージを含んでいる請求項９６に記載の通信システム。
【請求項９９】
前記サーバが前記宛先端末の電話番号の代わりに、前記宛先端末のドメインネームを用いて前記宛先端末と通信を行うためのＩＰアドレスを特定する機能を備えている請求項９６乃至９８のいずれかに記載の通信システム。
【請求項１００】
ＩＰ通信網は２以上の端末及び通信回線を介して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記サーバが前記宛先端末の電話番号を基に前記宛先端末と通信を行うためのＩＰアドレスを特定し、前記ＩＰ通信網は呼制御を行い、前記端末が、前記ＩＰ通信網を経由してインターネットプロトコルを用いて前記宛先端末と通信を行うシステムにおいて、前記端末が前記ＩＰ通信網に宛先端末の電話番号を送出して前記宛先端末と通信を行うためのＩＰアドレスを取得する手段と、前記取得したＩＰアドレスを用いて前記端末が前記宛先端末と通信を行う手段とを具備したことを特徴とする通信システム。
【請求項１０１】
電話通信接続制御を基に前記呼制御を行うようになっている請求項１００に記載の通信システム。
【請求項１０２】
アドレス完了メッセージを含む共通線信号方式を基に前記呼制御を行うようになっている請求項１００に記載の通信システム。
【請求項１０３】
前記呼制御がUNI及びＮNIを含んでいる請求項１００に記載の通信システム。
【請求項１０４】
前記呼制御が応答確認メッセージを含んでいる請求項１００に記載の通信システム。
【請求項１０５】
前記サーバが前記宛先端末の電話番号の代わりに、前記宛先端末のドメインネームを用いて前記宛先端末と通信を行うためのＩＰアドレスを特定する機能を含んでいる請求項１００に記載の通信システム。
【請求項１０６】
前記通信回線が無線通信路を含んでいる請求項１００に記載の通信システム。
【請求項１０７】
ＩＰ通信網は２以上の端末及び通信回線を介して接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定し、前記ＩＰ通信網は、呼設定を行う手順と、前記端末が前記宛先端末と通信を行う手順とを含み、前記端末が、前記ＩＰ通信網を経由してインターネットプロトコルを用いて前記宛先端末と通信を行う通信システムにおいて、前記端末が前記ＩＰ通信網に前記宛先端末の電話番号を送出して前記宛先端末と通信を行うためのＩＰアドレスを取得する手順と、前記端末が前記取得したＩＰアドレスを用いて前記宛先端末と通信を行う手順とを含むことを特徴とする通信システム。
【請求項１０８】
アドレス完了メッセージを含む共通線信号方式を基に前記呼設定を行うようになっている請求項１０７に記載の通信システム。
【請求項１０９】
前記呼設定が応答確認メッセージを含んでいる請求項１０７に記載の通信システム。
【請求項１１０】
前記サーバが前記宛先端末の電話番号の代わりに、前記宛先端末のドメインネームを用いて前記宛先端末と通信を行うためのＩＰアドレスを特定する機能を備えている請求項１０７に記載の通信システム。
【請求項１１１】
前記通信回線が無線通信路を含んでいる請求項１０７に記載の通信システム。
【請求項１１２】
前記端末間でマルチメディア通信を行うようになっている請求項１０７乃至１１１のいずれかに記載の通信システム。
【請求項１１３】
ＩＰ通信網は２以上の端末及び通信回線を経由して接続されており、前記ＩＰ通信網はＩＰパケットを用いて前記端末と通信を行い、前記ＩＰ通信網を経由してインターネットプロトコルを用いて前記端末間で通信を行うサーバであり、前記ＩＰ通信網は、前記端末間の通信接続制御として呼制御を行う方法を含み、前記ＩＰ通信網に接続され、電話番号を基にＩＰアドレスを特定する方法を含んでいることを特徴とするサーバ。
【請求項１１４】
前記通信回線が無線通信路を含んでいる請求項１１３に記載のサーバ。
【請求項１１５】
ＩＰ通信網は２以上の端末及び通信回線を経由して接続されており、ＩＰパケットを用いて前記端末と通信を行い、前記ＩＰ通信網を経由してインターネットプロトコルを用いて前記端末間で通信を行うサーバであり、前記ＩＰ通信網は、接続フェーズと、前記端末間で通信を行う通信フェーズとを含み、前記ＩＰ通信網に接続され、電話番号を基にＩＰアドレスを特定する方法を含んでいることを特徴とするサーバ。
【請求項１１６】
ＩＰ通信網は２以上の端末及び通信回線を経由して接続されており、前記ＩＰ通信網はＩＰパケットを用いて前記端末と通信を行い、前記端末間で前記ＩＰ通信網を経由してインターネットプロトコルを用いて通信を行うサーバであり、前記ＩＰ通信網は呼設定を行う手順と、前記端末が宛先端末と通信を行う手順とを含み、前記ＩＰ通信網に接続され、電話番号を基にＩＰアドレスを特定する方法を含んでいることを特徴とするサーバ。
【請求項１１７】
ＩＰ通信網は２以上の端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う通信方法において、前記サーバが前記宛先端末の電話番号を基に前記宛先端末と通信を行うためのＩＰアドレスを特定し、前記ＩＰ通信網は、接続フェーズと、前記端末間でマルチメディア通信を行う通信フェーズとを含んでいることを特徴とする端末間の通信方法。
【請求項１１８】
ＩＰ通信網は２以上の端末と接続されており、前記ＩＰ通信網はＩＰパケットを用いて前記端末と通信を行い、前記ＩＰ通信網はサーバを含み、前記サーバは宛先端末の電話番号を基に前記宛先端末と通信を行うためのＩＰアドレスを特定する機能を備え、前記端末間で前記ＩＰ通信網を経由してインターネットプロトコルを用いて通信を行う通信方法において、前記サーバが前記宛先端末の電話番号を基に前記宛先端末と通信を行うためのＩＰアドレスを特定し、前記ＩＰ通信網は、呼設定を行う手順と、前記端末が宛先端末とマルチメディア通信を行う手順とを含んでいることを特徴とする端末間の通信方法。